(57)【要約】【課題】選手の胸に当接する面と、胸との間から、熱を逃がすことができるプロテクターを提供する。【解決手段】プロテクター本体１の裏面８に、選手の胸との間の熱気を外部へ排出するための凹溝模様17が設けられている。【選択図】図１
2020171415.tif 000002
【特許請求の範囲】
【請求項１】
プロテクター本体（１）の裏面（８）に、選手の胸との間の熱気を外部へ排出するための凹溝模様（17）が設けられていることを特徴とするプロテクター。
【請求項２】
上記凹溝模様（17）は、上記裏面（８）の中間領域（24）に設けられた中間領域凹溝（25）、及び、該中間領域凹溝（25）に連続すると共に上記裏面（８）の左右側端縁（18）に到達する熱気側方排出凹溝（19）を、備えている請求項１記載のプロテクター。
【請求項３】
上記凹溝模様（17）は、上記裏面（８）の中間領域（24）に設けられた中間領域凹溝（25）、及び、該中間領域凹溝（25）に連続すると共に上記裏面（８）の左右側端縁（18）に到達する熱気側方排出凹溝（19）、及び、上記中間領域凹溝（25）に連続すると共に上記裏面（８）の上端縁（20）に到達する熱気上方排出凹溝（21）を、備えている請求項１記載のプロテクター。
【請求項４】
上記凹溝模様（17）を構成する凹溝（９）にて包囲された凸部（11）の断面形状は、蒲鉾型である請求項３記載のプロテクター。
【発明の詳細な説明】
【技術分野】
【０００１】
本発明は、プロテクターに関する。
【背景技術】
【０００２】
従来、野球、ソフトボール等のキャッチャーが使用するプロテクターは、表て面側に複数の凸部が形成されている（例えば、特許文献１参照）。
【先行技術文献】
【特許文献】
【０００３】
【特許文献１】特開２００６−４３２２５号公報
【発明の概要】
【発明が解決しようとする課題】
【０００４】
しかし、特許文献１記載のプロテクターは、プロテクター本体の裏面側（背面側）が、平滑状であって、選手の胸に当接する面と、胸とが、密接し、（プレー中などに）熱がこもるという問題があった。特に夏場は、熱中症の虞れがあった。そこで、本発明は、選手の胸に当接する面と、胸との間から、熱を逃がすことができるプロテクターを提供することを目的とする。
【課題を解決するための手段】
【０００５】
本発明に係るプロテクターは、プロテクター本体の裏面に、選手の胸との間の熱気を外部へ排出するための凹溝模様が設けられているものである。
また、上記凹溝模様は、上記裏面の中間領域に設けられた中間領域凹溝、及び、該中間領域凹溝に連続すると共に上記裏面の左右側端縁に到達する熱気側方排出凹溝を、備えているものである。
また、上記凹溝模様は、上記裏面の中間領域に設けられた中間領域凹溝、及び、該中間領域凹溝に連続すると共に上記裏面の左右側端縁に到達する熱気側方排出凹溝、及び、上記中間領域凹溝に連続すると共に上記裏面の上端縁に到達する熱気上方排出凹溝を、備えているものである。
また、上記凹溝模様を構成する凹溝にて包囲された凸部の断面形状は、蒲鉾型である。
【発明の効果】
【０００６】
本発明のプロテクターによれば、選手の胸に当接する面と、胸との間から、熱を逃がすことができる。そして、夏場は、熱中症を予防しつつプレーすることができる。
【図面の簡単な説明】
【０００７】
【図１】本発明の第１の実施の形態を示す背面図である。
【図２】図１のＡ−Ａ断面拡大図である。
【図３】図１のＢ−Ｂ断面拡大図である。
【図４】製造方法の一例を示す断面図である。
【図５】断面図である。
【図６】断面図である。
【図７】第２の実施の形態を示す背面図である。
【図８】図７のＣ−Ｃ簡略断面拡大図である。
【発明を実施するための形態】
【０００８】
以下、図示の実施の形態に基づいて本発明を詳説する。
図１〜図３は、本発明の第１の実施の形態を示す。このプロテクターは、例えば、野球、ソフトボール等のキャッチャー（選手）又は審判員が着用する。プロテクター本体１と、肩保護パッド２とを、備える。
【０００９】
プロテクター本体１は、表て面材３と、表て側発泡樹脂材４と、中間芯材５と、裏側発泡樹脂材６と、裏布体７とを、順次、有する。表て面材３は、例えば、人工皮革、合成皮革、ポリエチレン、ナイロン、ポリエステル等から成る。表て側発泡樹脂材４は、例えば、発泡ウレタンから成る。中間芯材５は、例えば、布体等から成る。裏側発泡樹脂材６は、例えば、発泡ウレタンから成る。裏布体７は、例えば、ナイロン、ポリエステル等から成る。プロテクター本体１の周縁部22は、縁取り部材23を備える。本発明に於て、「端縁」とは、外周縁から20mmの周縁帯部のことであるものとする。
【００１０】
プロテクター本体１の裏面８に、選手の胸との間の熱気を外部へ排出するための凹溝模様17が設けられている。凹溝模様17は、裏面８の中間領域24に設けられた中間領域凹溝25、及び、中間領域凹溝25に連続すると共に裏面８の左右側端縁18に到達する熱気側方排出凹溝19を、備えている。さらに、凹溝模様17は、中間領域凹溝25に連続すると共に裏面８の上端縁20に到達する熱気上方排出凹溝21を、備えている。本発明に於て、「中間領域」とは、高さ方向に７等分して上から１：３：３に分けた中間部であって、左右方向に５等分して左端から１：３：１に分けた中間部の領域をいうものとする。
【００１１】
熱気側方排出凹溝19の本数を、（左右各々）５本以上とするのが、好ましい。熱気上方排出凹溝21の本数を、２本以上とするのが、好ましい。溝幅寸法ｗを、５mm以上10mm以下に設定する。溝幅寸法ｗが上記範囲内にある場合、外部へ体熱を適切に排出することができる。溝幅寸法ｗが５mm未満の場合、通気性が悪くなり、熱がこもる。溝幅寸法ｗが10mmを超える場合、クッション性が悪くなり、ボールによる衝撃を適切に吸収することができない。プロテクター本体１の胸部10に於て、上下隣合う凹溝９と凹溝９の間隔寸法ｓを、 100mm以下に設定する。間隔寸法ｓが上記範囲内にある場合、外部へ体熱を適切に排出することができる。間隔寸法ｓが、 100mmを超える場合、熱がこもり、熱中症になる虞れがある。
【００１２】
凹溝模様17を構成する凹溝９にて包囲された凸部11の断面形状は、蒲鉾型である。凸部11の高さ寸法ｈ1 を、10mm以上25mm以下に設定する。高さ寸法ｈ1 がこの範囲にある場合、適切な通気性を有し、身体の熱を外部へ排出することができる。高さ寸法ｈ1 が、10mm未満の場合、通気性が悪く、身体の熱がこもる。高さ寸法ｈ1 が、25mmを超える場合、身体へのフィット感及び着用感が悪くなる。
【００１３】
次に、本発明のプロテクター本体１の裏面８側の部材の製造方法について、図４〜図６を用いて、説明する。12は加熱された平板状（アルミ製）下型で、下型12は、複数の断面台形状凹部13が形成されている。14は加熱された平面状（アルミ製）上型である。下型12と上型14にて、裏布体７と裏側発泡樹脂材６とを熱圧縮成形することにより、下型12の凹部13に横断面形状蒲鉾型の凸部11を膨出状に形成しつつ、裏面側部材15を形成する。そして、別途、表て面材３と表て側発泡樹脂材４と中間芯材５とを積層させて熱圧縮成形して作製した表て面側部材16に、裏面側部材15を接着して一体化する。表て面成型用の（従来の）金型を流用して、裏面側部材15を製造することができる。なお、表て面側部材16を、表て面材３と表て側発泡樹脂材４とを積層させて熱圧縮成形したものとし、かつ、裏面側部材15を、裏布体７と裏側発泡樹脂材６とを積層させて熱圧縮成形したものとして、表て面側部材16と裏面側部材15とを、接着により一体化するも良い。
【００１４】
次に、本発明の第２の実施の形態について説明する。図７・図８に示すように、凹溝模様17は、裏面８の中間領域24に設けられた中間領域凹溝25、及び、中間領域凹溝25に連続すると共に裏面８の左右側端縁18に到達する熱気側方排出凹溝19のみを、備えている（熱気上方排出凹溝21を備えていない）。
【００１５】
上下隣合う凹溝９と凹溝９との間に形成された凸部11の高さ寸法ｈ2 を、５mm以上20mm以下に設定する。高さ寸法ｈ2 がこの範囲にある場合、適切な通気性を有し、身体の熱を外部へ排出することができる。高さ寸法ｈ2 が、５mm未満の場合、通気性が悪く、身体の熱がこもる。高さ寸法ｈ2 が、20mmを超える場合、身体へのフィット感及び着用感が悪くなる。その他の構成は、第１の実施の形態と同様である。
【００１６】
なお、凹溝９を曲線状等とするも良いが、外部までの距離が短いほうが、効率良く（早く）熱を逃がすことができるので、一直線状が好ましい。また、本発明の図面に於て、プロテクター本体１、肩保護パッド２以外の部材（例えば、ベルト類）を、図示省略した。
【００１７】
本発明は、設計変更可能であって、例えば、凹溝９を、斜め方向に配設するも良い。また、厚さ方向中央部の構成は、種々のものとすることができ、例えば、中間芯材５を省略して、表て側発泡樹脂材４と裏側発泡樹脂材６を、接着する構成等とするも良い。
【００１８】
以上のように、本発明は、プロテクター本体１の裏面８に、選手の胸との間の熱気を外部へ排出するための凹溝模様17が設けられているので、選手の胸に当接する面と、胸との間の温度を、有効に降下させることができる。そして、夏場は、熱中症を予防しつつプレーすることができる。
【００１９】
また、上記凹溝模様17は、上記裏面８の中間領域24に設けられた中間領域凹溝25、及び、該中間領域凹溝25に連続すると共に上記裏面８の左右側端縁18に到達する熱気側方排出凹溝19を、備えているので、（上下方向より距離が短い）左右方向へ、熱を効率良く逃がすことができる。
【００２０】
また、上記凹溝模様17は、上記裏面８の中間領域24に設けられた中間領域凹溝25、及び、該中間領域凹溝25に連続すると共に上記裏面８の左右側端縁18に到達する熱気側方排出凹溝19、及び、上記中間領域凹溝25に連続すると共に上記裏面８の上端縁20に到達する熱気上方排出凹溝21を、備えているので、左右外方及び上下外方から熱を効率良く逃がすことができる。
【００２１】
また、上記凹溝模様17を構成する凹溝９にて包囲された凸部11の断面形状は、蒲鉾型であるので、選手の胸との接触部が小さく、衝撃が加わった際、蒲鉾型凸部11の根元部分、及び、凹溝９の空気層にて衝撃を緩和することができる。さらに、（従来の）金型を流用して、製造することができる。
【符号の説明】
【００２２】
１  プロテクター本体
８  裏面
９  凹溝
11  凸部
17  凹溝模様
18  左右側端縁
19  熱気側方排出凹溝
20  上端縁
21  熱気上方排出凹溝
24  中間領域
25  中間領域凹溝
【図１】
2020171415.tif 000003
【図２】
2020171415.tif 000004
【図３】
2020171415.tif 000005
【図４】
2020171415.tif 000006
【図５】
2020171415.tif 000007
【図６】
2020171415.tif 000008
【図７】
2020171415.tif 000009
【図８】
2020171415.tif 000010